(57)【要約】【課題】タイムシフト機能によるテレビジョン番組の再生を行う場合に、視聴者にとって不要なシーンを確実にスキップし、視聴したいシーンのみを再生できるようにする。【解決手段】テレビジョン番組に係るシーン情報に応じて、録画部１０２は、不要なシーンについては記録動作を停止し、必要な視聴シーンの映像データのみを録画データ蓄積部１０８に蓄積させ、その再生において、再生部１０９は、再生速度制御部１０４により算出される再生速度に応じて、受信したテレビジョン信号の放送速度より遅く再生するようにして、リアルタイム放送に再生が追いついてしまうことを防ぎ、視聴者にとって不要なシーンを確実にスキップして視聴したいシーンのみを再生することができるようにする。【選択図】図１
2009004909.tif 000002
【特許請求の範囲】
【請求項１】
受信したテレビジョン信号から得られる映像データを記録媒体に記録する記録手段と、
前記記録媒体に記録される前記映像データのシーンの構成情報であって、前記シーン毎の放送時間帯の情報を含むシーン情報を取得する取得手段と、
前記取得手段により取得したシーン情報に応じて再生速度を調整し、前記記録媒体に記録された前記映像データを再生する速度調整再生手段とを備え、
前記記録手段は、前記取得手段により取得したシーン情報に応じて、第１群のシーンに係る映像データの前記記録媒体への記録動作を停止することを特徴とする記録再生装置。
【請求項２】
前記記録手段における前記第１群のシーンに係る映像データの前記記録媒体への記録動作の停止にかえて、前記記録媒体に記録された前記映像データを再生する際、前記第１群のシーンをスキップするスキップ手段を備えることを特徴とする請求項１記載の記録再生装置。
【請求項３】
テレビジョン信号を受信する受信手段と、
前記受信手段により受信したテレビジョン信号を映像データとして一時的に記録する記録手段と、
前記記録手段により記録する映像データの中で、不要なシーンが放送されている時間帯の情報を含むシーン情報を取得する取得手段と、
前記取得手段により取得したシーン情報を基に、前記不要なシーンが放送されている間、前記記録手段による記録動作を停止する記録停止手段と、
前記記録手段により記録された映像データの再生にて、前記受信手段により受信したテレビジョン信号の放送速度より所定の速度分だけ遅い速度で前記映像データを再生する速度調整再生手段とを備えることを特徴とする記録再生装置。
【請求項４】
テレビジョン信号を受信する受信手段と、
前記受信手段により受信したテレビジョン信号を映像データとして一時的に記録する記録手段と、
前記記録手段により記録する映像データの中で、不要なシーン及び必要なシーンがそれぞれ放送されている時間帯の情報を含むシーン情報を取得する取得手段と、
前記記録手段により記録された映像データの再生にて、前記取得手段により取得したシーン情報を基に、前記必要なシーンを再生する場合には、前記受信手段により受信したテレビジョン信号の放送速度より所定の速度分だけ遅い速度で前記映像データを再生する速度調整再生手段と、
前記記録手段により記録された映像データの再生にて、前記取得手段により取得したシーン情報を基に、前記不要なシーンをスキップするスキップ手段とを備えることを特徴とする記録再生装置。
【請求項５】
前記速度調整再生手段における前記映像データの再生速度の下限値を設定する設定手段を更に備え、
前記速度調整再生手段は、前記設定手段により設定された下限値の速度より速く、かつ前記受信手段により受信したテレビジョン信号の放送速度より遅い速度で前記映像データを再生することを特徴とする請求項３又は４記載の記録再生装置。
【請求項６】
前記速度調整再生手段により必要なシーンを再生中に、前記記録手段により記録されている映像データがなくなってしまった場合には、所定の映像を表示することを特徴とする請求項３〜５の何れか１項に記載の記録再生装置。
【請求項７】
前記所定の映像が、前記記録手段により記録する映像データによる映像であることを特徴とする請求項６記載の記録再生装置。
【請求項８】
前記取得手段により取得されるシーン情報は、通信ネットワークを介して接続された所定のサーバーから取得する情報であることを特徴とする請求項１〜７の何れか１項に記載の記録再生装置。
【請求項９】
前記取得手段により取得されるシーン情報は、受信する前記テレビジョン信号に重畳される付随情報であることを特徴とする請求項１〜７の何れか１項に記載の記録再生装置。
【請求項１０】
前記取得手段により取得されるシーン情報は、過去のテレビジョン番組の放送履歴から生成される情報であることを特徴とする請求項１〜７の何れか１項に記載の記録再生装置。
【請求項１１】
前記取得手段により取得されるシーン情報は、ユーザによって編集可能であることを特徴とする請求項１〜１０の何れか１項に記載の記録再生装置。
【請求項１２】
前記記録手段により記録された映像データを再生して得られる映像を表示する表示手段を備えることを特徴とする請求項１〜１１の何れか１項に記載の記録再生装置。
【請求項１３】
受信したテレビジョン信号から得られる映像データを記録媒体に記録する記録工程と、
前記記録媒体に記録される前記映像データのシーンの構成情報であって、前記シーン毎の放送時間帯の情報を含むシーン情報を取得する取得工程と、
前記取得工程にて取得したシーン情報に応じて再生速度を調整し、前記記録媒体に記録された前記映像データを再生する速度調整再生工程とを有し、
前記記録工程では、前記取得工程にて取得したシーン情報に応じて、第１群のシーンに係る映像データの前記記録媒体への記録動作を停止させることを特徴とする記録再生方法。
【請求項１４】
受信したテレビジョン信号から得られる映像データを記録媒体に記録する記録ステップと、
前記記録媒体に記録される前記映像データのシーンの構成情報であって、前記シーン毎の放送時間帯の情報を含むシーン情報を取得する取得ステップと、
前記取得ステップにて取得したシーン情報に応じて再生速度を調整し、前記記録媒体に記録された前記映像データを再生する速度調整再生ステップとをコンピュータに実行させ、
かつ前記記録ステップでは、前記取得ステップにて取得したシーン情報に応じて、第１群のシーンに係る映像データの前記記録媒体への記録を停止する処理をコンピュータに実行させるためのプログラム。
【発明の詳細な説明】
【技術分野】
【０００１】
本発明は、テレビジョン信号として送出された映像データを記録・再生する記録再生装置及び記録再生方法に関する。
【背景技術】
【０００２】
従来より、映像データを記録・再生するＶＴＲ装置等の記録再生装置においては、タイムシフトという概念の基に、テレビジョン信号等の映像の記録処理及び再生処理が行われている。タイムシフトとしては、具体的にはタイマー設定による留守録画や、テレビ視聴を中座するときなどに便利なワンタッチタイマーによる録画などがある。
【０００３】
このタイムシフトによるテレビジョン信号の映像（テレビジョン番組）の視聴におけるタイムシフト可能な時間範囲は、従来の記録再生装置においては限定されていた。従来の記録再生装置は、テープ媒体等の記録媒体が用いられ、異なる経過時間に対するデータの読み出し及び書き込みを同時に行うことができなかったため、すべての録画が終了した後にしか再生することができなかった。
【０００４】
しかし、近年では、記録再生装置の記録媒体として、異なる経過時間に対するデータの読み出し及び書き込みを同時に行うことが可能な記録媒体、例えばＨＤＤ（ハードディスクドライブ）等を用いることが一般的となってきている。ＨＤＤ等を記録媒体として用いることで、タイムシフトによる再生が録画中でも可能となり、録画を行っている番組がリアルタイムで放送中であっても再生を開始することが可能となっている（特許文献１）。このような視聴形態では、リアルタイム放送に再生が追いつかない範囲であれば、不要なシーンを早送り等によりスキップすることが可能となっている。
【０００５】
【特許文献１】特開２００３-０２２６０４号公報
【発明の開示】
【発明が解決しようとする課題】
【０００６】
しかしながら、タイムシフト機能を利用したテレビジョン番組の視聴において、リアルタイム放送に再生が追いついてしまうと、早送り等の制御ができなくなり、不要なシーン等であっても視聴しなければならなくなってしまっていた。
【０００７】
本発明は、このような事情に鑑みてなされたものであり、タイムシフト機能によるテレビジョン番組の再生を行う場合に、視聴者にとって不要なシーンを確実にスキップし、視聴したいシーンのみを再生できるようにすることを目的とする。
【課題を解決するための手段】
【０００８】
本発明の記録再生装置は、受信したテレビジョン信号から得られる映像データを記録媒体に記録する記録手段と、前記記録媒体に記録される前記映像データのシーンの構成情報であって、前記シーン毎の放送時間帯の情報を含むシーン情報を取得する取得手段と、前記取得手段により取得したシーン情報に応じて再生速度を調整し、前記記録媒体に記録された前記映像データを再生する速度調整再生手段とを備え、前記記録手段は、前記取得手段により取得したシーン情報に応じて、第１群のシーンに係る映像データの前記記録媒体への記録動作を停止することを特徴とする。
本発明の記録再生装置は、テレビジョン信号を受信する受信手段と、前記受信手段により受信したテレビジョン信号を映像データとして一時的に記録する記録手段と、前記記録手段により記録する映像データの中で、不要なシーンが放送されている時間帯の情報を含むシーン情報を取得する取得手段と、前記取得手段により取得したシーン情報を基に、前記不要なシーンが放送されている間、前記記録手段による記録動作を停止する記録停止手段と、前記記録手段により記録された映像データの再生にて、前記受信手段により受信したテレビジョン信号の放送速度より所定の速度分だけ遅い速度で前記映像データを再生する速度調整再生手段とを備えることを特徴とする。
本発明の記録再生装置は、テレビジョン信号を受信する受信手段と、前記受信手段により受信したテレビジョン信号を映像データとして一時的に記録する記録手段と、前記記録手段により記録する映像データの中で、不要なシーン及び必要なシーンがそれぞれ放送されている時間帯の情報を含むシーン情報を取得する取得手段と、前記記録手段により記録された映像データの再生にて、前記取得手段により取得したシーン情報を基に、前記必要なシーンを再生する場合には、前記受信手段により受信したテレビジョン信号の放送速度より所定の速度分だけ遅い速度で前記映像データを再生する速度調整再生手段と、前記記録手段により記録された映像データの再生にて、前記取得手段により取得したシーン情報を基に、前記不要なシーンをスキップするスキップ手段とを備えることを特徴とする。
本発明の記録再生方法は、受信したテレビジョン信号から得られる映像データを記録媒体に記録する記録工程と、前記記録媒体に記録される前記映像データのシーンの構成情報であって、前記シーン毎の放送時間帯の情報を含むシーン情報を取得する取得工程と、前記取得工程にて取得したシーン情報に応じて再生速度を調整し、前記記録媒体に記録された前記映像データを再生する速度調整再生工程とを有し、前記記録工程では、前記取得工程にて取得したシーン情報に応じて、第１群のシーンに係る映像データの前記記録媒体への記録動作を停止させることを特徴とする。
本発明のプログラムは、受信したテレビジョン信号から得られる映像データを記録媒体に記録する記録ステップと、前記記録媒体に記録される前記映像データのシーンの構成情報であって、前記シーン毎の放送時間帯の情報を含むシーン情報を取得する取得ステップと、前記取得ステップにて取得したシーン情報に応じて再生速度を調整し、前記記録媒体に記録された前記映像データを再生する速度調整再生ステップとをコンピュータに実行させ、かつ前記記録ステップでは、前記取得ステップにて取得したシーン情報に応じて、第１群のシーンに係る映像データの前記記録媒体への記録を停止する処理をコンピュータに実行させることを特徴とする。
【発明の効果】
【０００９】
本発明によれば、取得したシーン情報に応じて、視聴するシーンは受信したテレビジョン信号の放送速度より遅い速度で映像データを再生し、不要なシーンは映像データを記録しない、もしくは再生時にスキップする。これにより、タイムシフト機能を利用したテレビジョン番組の再生を行う場合に、リアルタイム放送に再生が追いついてしまうことを防ぎ、視聴者にとって不要なシーンを確実にスキップし視聴したいシーンのみを再生することができる。したがって、テレビジョン番組をリアルタイムで視聴する場合であっても、視聴者は、予め不要と分かっているシーンを視聴せず、視聴したいシーンのみを連続して視聴することができる。
【発明を実施するための最良の形態】
【００１０】
以下、本発明の実施形態を図面に基づいて説明する。
【００１１】
（第１の実施形態）
本発明の第１の実施形態について説明する。
図１は、第１の実施形態に係る記録再生装置を適用したテレビジョン信号視聴システムの構成例を示すブロック図である。
【００１２】
テレビジョン信号視聴システム１００は、テレビジョン信号入力部１０１、録画部１０２、録画情報管理部１０３、再生速度制御部１０４、及び番組情報管理部１０５を有する。また、テレビジョン信号視聴システム１００は、ネットワークＩＦ制御部１０６、ＨＩＦ（Human Interface）制御部１０７、録画データ蓄積部１０８、再生部１０９、及び表示部１１０を有する。
【００１３】
テレビジョン信号入力部（受信手段）１０１は、地上波アナログ放送、地上波デジタル放送や衛星放送等のテレビジョン信号を受信して本システムに取り込む。テレビジョン信号入力部１０１は、受信したテレビジョン信号から得られる複数のチャネル（ＣＨ）の映像信号（映像データ）を録画部１０２及び再生部１０９に送出する。
【００１４】
録画情報管理部１０３は、録画開始時刻、録画時間及びチャネル（ＣＨ）情報を含む録画情報を管理する。録画部（記録手段、記録停止手段）１０２は、録画情報管理部１０３により管理されている録画情報に基づき、所定のチャネル（ＣＨ）の映像信号（映像データ）のみを録画データに変換して録画データ蓄積部１０８へ送出する。これにより、録画情報に基づいて、受信したテレビジョン信号から得られる映像信号が録画データ蓄積部１０８に一時的に記録される。録画データ蓄積部（記録媒体）１０８は、録画部１０２からの録画データが蓄積される記録媒体であり、異なる経過時間に対するデータの読み出し及び書き込みを同時に行うことが可能な記録媒体（例えばＨＤＤ等）で構成される。
【００１５】
すなわち、録画部１０２へ送出された映像信号（映像データ）は、録画情報管理部１０３の録画情報に応じて、録画部１０２により所定のチャネル（ＣＨ）の映像信号のみが録画データに変換され録画データ蓄積部１０８に一時的に蓄積される。なお、記録を行わないチャネル（ＣＨ）の映像信号、及び記録を行わない時間帯のすべてのチャネル（ＣＨ）の映像信号は読み捨てられる。
【００１６】
番組情報管理部（取得手段）１０５は、テレビジョン番組の視聴したいシーン（必要なシーン）と不要なシーンの開始時刻、及び当該シーン毎の放送時間情報を取得し管理している。番組情報管理部１０５は、テレビジョン番組におけるシーンの構成情報であり、視聴したいシーン及び不要なシーンがそれぞれ放送されている放送時間帯の情報を含むシーン情報をテレビジョン番組毎に取得して番組情報として管理している。ここで、例えば、テレビジョン番組における不要なシーンが、本発明における第１群のシーンに相当する。
【００１７】
再生速度制御部（速度調整再生手段、スキップ手段）１０４は、番組情報管理部１０５により管理されている番組情報を基に、録画データ蓄積部１０８に蓄積された録画データ（映像データ）の再生速度を計算して再生部１０９へ通知する。再生部（速度調整再生手段、スキップ手段）１０９は、再生速度制御部１０４から通知された速度で録画データ蓄積部１０８から録画データを読み出し、表示パネル１１０で表示可能な表示データへ変換して表示部１１０へ送出する。
【００１８】
このように再生速度制御部１０４及び再生部１０９は、番組情報管理部１０５が管理しているシーン情報に応じて再生速度を調整し、録画データ蓄積部１０８に蓄積されている録画データ（映像データ）の再生する。詳細には、蓄積されている録画データの再生において、シーン情報に基づき視聴したいシーン（必要なシーン）を再生する場合には、受信したテレビジョン信号の放送速度（リアルタイム放送の放送速度）より所定の速度分だけ遅い速度で録画データを再生する。
【００１９】
また、再生部１０９は、テレビジョン信号入力部１０１から送出された映像信号を、表示部１１０で表示可能な表示データへ変換して表示部１１０へ送出する。このように再生部１０９は、映像信号の入力系統を２つ（テレビジョン信号入力部１０１と録画データ蓄積部１０８）持つが、これらが同時に利用されることはなくＨＩＦ制御部１０７を通して入力されるユーザからの制御信号により選択的に利用される。
表示部（表示手段）１１０は、再生部１０９から送出された表示データに係る映像を表示する。
【００２０】
ＨＩＦ制御部１０７は、上述した制御信号のみならず、リモコン、キーボード、マウス等を用いたユーザからの入力データを受付け、録画部１０２、録画情報管理部１０３、番組情報管理部１０５、再生部１０９へ適切な制御信号及びデータ（情報）を通知する。ネットワークＩＦ制御部１０６は、インターネットやＷＡＮ等の通信ネットワークに接続されており、外部のサーバー等から取得したテレビジョン番組の各視聴シーンの開始時刻、放送時間のデータ等のシーン情報を番組情報管理部１０５へ送出する。このように通信ネットワークを介して接続された外部のサーバー等からシーン情報を取得することにより、さまざまな場所からシーン情報を自動的に取得することができる。
【００２１】
図４は、番組情報管理部１０５が管理するテレビジョン番組のシーン情報のデータ構造例を示す図である。図４において、４１０は１つのテレビジョン番組におけるシーン情報であり、各視聴シーンは、開始時刻、放送時間、不要か否かを示す視聴フラグ、及び視聴シーンの概要情報によって構成される。テレビジョン番組４１０における４１０シーンＡ、４１０シーンＢ、４１０シーンＣ、４１０シーンＤ等の各行が１つの視聴シーンに係る情報を示す。他のテレビジョン番組のシーン情報４２０、４３０等も同様の構成となっている。
【００２２】
図４において、列４０１は、視聴シーンの開始時刻であり、各視聴シーンが開始される時刻を示している。列４０２は、視聴シーンの放送時間であり、各視聴シーンが放送される時間長を示している。列４０１及び４０２の内容によって、各視聴シーンが放送されている時間帯（各視聴シーンの放送時間帯）が一意に決定できるようになっており、同一のテレビジョン番組において、各視聴シーンの放送時間帯は他の視聴シーンの放送時間帯に重複することは無い。また、テレビジョン番組の時間帯の中で定義されていない視聴シーンの時間帯が存在することもない。
【００２３】
列４０３は、視聴フラグであり、当該視聴シーンが不要か否かを示している。図４に示す視聴フラグの欄の記載において、“○”は視聴シーンが必要なシーン（視聴したいシーン）であることを意味し、“×”は視聴シーンが不要なシーンであることを意味する。列４０４は、視聴シーン概要であり、当該視聴シーンの概要を示している。
【００２４】
テレビジョン番組４１０、４２０、４３０等のシーン情報は、ネットワークＩＦ制御部１０６を通してインターネット等の通信ネットワークを介して接続された所定のサーバー等から取得される。シーン情報の取得方法に関しては、詳細は割愛するが、自動で行う構成であってもユーザからの指示に応じて行う構成であっても良く、取得方法によって本発明は何ら制限されることはない。また、シーン情報の削除方法に関しても同様であり、当該テレビジョン番組の放送が終了した場合に自動で削除されるような構成であっても良い。
【００２５】
また、列４０３の視聴フラグは、インターネット等の通信ネットワークを介してシーン情報が取得された時点でいずれかの値が格納されているが、列４０４のシーン概要を基にＨＩＦ制御部１０７を通してユーザの嗜好によって編集可能にしても良い。さらに、列４０３の視聴フラグのみならず、列４０１の開始時刻及び列４０２の放送時間も、ユーザによって編集可能にしても良い。このようにシーン情報をユーザによって編集可能にすることにより、ユーザの意向に沿ってシーン情報を随時変更し、よりきめ細かくユーザの意図を反映した形で視聴することができる。
【００２６】
以下、本実施形態におけるテレビジョン信号視聴システム１００の特徴である速度調整再生動作について説明する。速度調整再生動作では、本システムのユーザが所望のテレビジョン番組を視聴する際に、録画部１０２及び再生部１０９がそれぞれ以下のように動作し、録画データ蓄積部１０８に蓄積された録画データ（映像データ）に係る映像を表示部１１０に表示する。
【００２７】
録画部１０２は、番組情報管理部１０５が管理するシーン情報（番組情報）に基づいて、放送中のテレビジョン番組の内、シーン情報における視聴フラグにより必要とする視聴シーンのみを録画する。言い換えれば、録画部１０２は、シーン情報における視聴フラグに応じて不要なシーンについては、その映像データの記録動作を停止する。これにより、テレビジョン番組の内で必要な視聴シーンの録画データ（映像データ）のみが録画データ蓄積部１０８に蓄積される。また、再生部１０９は、再生速度制御部１０４からの制御信号に基づいて、所定の速度で録画データを録画データ蓄積部１０８から読み出し、表示部１１０へ表示データを送出する。
【００２８】
図２は、本実施形態における速度調整再生動作の処理の流れを示すフローチャートである。
【００２９】
本実施形態における速度調整再生動作は、本システムのユーザがＨＩＦ制御部１０７へ速度調整再生指示を入力（Ｓ２０１）することによって開始される。速度調整再生指示の入力を受けたＨＩＦ制御部１０７は、録画部１０２及び再生部１０９へ速度調整再生動作開始の制御信号を通知する（Ｓ２０２）。このとき、速度調整再生の処理対象となるチャネル（ＣＨ）についても同時に通知する必要があるが、チャネル（ＣＨ）情報は当該指示を入力されたときに視聴しているチャネルとする。ＨＩＦ制御部１０７からの速度調整再生動作開始の制御信号の通知を受けた録画部１０２及び再生部１０９は、それぞれ別々に処理を開始する。
【００３０】
以下、速度調整再生動作開始の制御信号を受けた後の録画部１０２の動作について説明する。録画部１０２における速度調整再生に係る動作は、図２においてステップＳ２０３〜Ｓ２０６に示される。
【００３１】
速度調整再生動作開始の制御信号を受けた録画部１０２は、指定されたチャネルで現在放送中のテレビジョン番組のシーン情報を番組情報管理部１０５から取得する（Ｓ２０３）。続いて、録画部１０２は、指定されたテレビジョン番組が放送中であるか否かを確認する（Ｓ２０４）。
【００３２】
確認の結果、指定されたテレビジョン番組が放送中であった場合には、録画部１０２は、ステップＳ２０３において取得したテレビジョン番組のシーン情報の視聴フラグによって、現在放送中の視聴シーンが不要な視聴シーンであるか否かを確認する（Ｓ２０５）。その結果、不要な視聴シーンであった場合には、録画部１０２は、映像データの記録動作を行わず、ステップＳ２０４に戻って処理を繰り返す。一方、不要な視聴シーンでなかった場合には、録画部１０２は、現在の視聴シーンの録画データを録画データ蓄積部１０８に蓄積することにより録画し（Ｓ２０６）、現在の視聴シーンが終了したら録画を一旦停止してステップＳ２０４に戻り処理を繰り返す。
【００３３】
ステップＳ２０４における指定されたテレビジョン番組が放送中であるか否かの確認の結果、指定されたテレビジョン番組の放送が終了していた場合には、録画部１０２は、処理を終了する。
【００３４】
以下、速度調整再生動作開始の制御信号を受けた後の再生部１０９の動作について説明する。再生部１０９における速度調整再生に係る動作は、図２においてステップＳ２０７〜Ｓ２１２に示される。
【００３５】
速度調整再生動作開始の制御信号を受けた再生部１０９は、再生する映像データの入力系統をテレビジョン信号入力部１０１から録画データ蓄積部１０８へ変更する（Ｓ２０７）。その後、録画部１０２と同様に、再生部１０９は、指定されたチャネルで現在放送中のテレビジョン番組のシーン情報を番組情報管理部１０５から取得する（Ｓ２０８）。続いて、再生部１０９は、指定されたテレビジョン番組の録画データをすべて再生完了したか否かを確認する（Ｓ２０９）。
【００３６】
その結果、指定されたテレビジョン番組の録画データの再生がまだ完了していなかった場合には、再生部１０９は、再生速度制御部１０４から再生する視聴シーン（再生シーン）の再生速度を取得する（Ｓ２１０）。再生速度制御部１０４における当該再生シーンの再生速度算出処理については後述する。そして、再生部１０９は、再生速度制御部１０４から取得した再生速度に基づいて、録画データ蓄積部１０８から読み出した再生シーンの録画データを再生し（Ｓ２１１）、再生を完了したらステップＳ２０９へ戻り処理を繰り返す。
【００３７】
ステップＳ２０９における確認の結果、録画データをすべて再生完了したことが確認できた場合には、再生部１０９は、再生する映像データの入力系統を録画データ蓄積部１０８からテレビジョン信号入力部１０１へ変更する（Ｓ２１２）。そして、リアルタイムのテレビジョン信号の再生を開始する（Ｓ２１３）。
【００３８】
次に、図２に示したステップＳ２１０における再生速度制御部１０４による再生速度算出処理について説明する。本実施形態における再生速度算出処理では、現在の時刻から次の視聴フラグが不要であることを示している視聴シーンまでの間、現在の時刻から視聴フラグが必要であることを示している連続する視聴シーンを再生するための速度を計算する。すなわち、本実施形態における再生速度算出処理によれば、各不要なシーンの終了時にはおおむね再生処理がリアルタイム放送に追いつくという仕様になる。
【００３９】
図３は、本実施形態における再生速度制御部１０４による再生速度算出処理の流れを示すフローチャートである。本実施形態における再生速度算出処理は、再生速度制御部１０４が、再生部１０９からテレビジョン信号のチャネルとともに算出処理開始の制御信号を受信する（Ｓ３０１）ことにより開始される。
【００４０】
まず、再生速度制御部１０４は、指定されたチャネルで現在放送中のテレビジョン番組のシーン情報を番組情報管理部１０５から取得する（Ｓ３０２）。以下では、ステップＳ３０２において取得したシーン情報が、図４に示したシーン情報４１０であるとして説明する。
【００４１】
続いて、再生速度制御部１０４は、取得したシーン情報に基づいて、現在の時刻から視聴フラグが不要であることを示す次の視聴シーンの開始時刻までの時間を算出する（Ｓ３０３）。例えば、現在の時刻が１９：００であった場合、視聴フラグが不要であることを示す次の視聴シーンは、図４においては４１０シーンＣであり、現在の時刻から４１０シーンＣの開始時刻までは１５分となる。
【００４２】
続いて、再生速度制御部１０４は、再生速度を算出する（Ｓ３０４）。ここで、次の不要な視聴シーンの放送が完了する時刻まで、再生する視聴シーンを延長して再生するため、再生速度の算出式は、下記（式１）の通りとなる。
（再生速度）＝（次の不要なシーンまでの時間）÷（次の不要なシーンまでの時間＋次の不要なシーンの放送時間）…（式１）
【００４３】
現在の時刻が１９：００であった場合を例に説明する。ステップＳ３０３において説明したように、次の不要なシーン（４１０シーンＣ）までの時間は１５分である。そして、次の不要なシーン（４１０シーンＣ）の放送時間は５分である。これを前記（式１）に当てはめると、以下のようになる。
（再生速度）＝（１５分）÷（１５分＋５分）＝０．７５
よって、再生速度は、通常の再生速度の０．７５倍となる。
【００４４】
最後に、再生速度制御部１０４は、ステップＳ３０４で算出した再生速度（現在時刻１９：００では０．７５倍）を再生部１０９へ通知し、再生速度算出処理を終了する（Ｓ３０５）。
【００４５】
以上、第１の実施形態によれば、録画部１０２が、テレビジョン番組に係るシーン情報に応じて、不要なシーンについては記録動作を停止し、必要な視聴シーン（視聴したいシーン）の映像データ（録画データ）のみを録画データ蓄積部１０８に蓄積させる。そして、録画データ蓄積部１０８に蓄積された録画データの再生においては、再生部１０９は、再生速度制御部１０４により算出される再生速度に応じて、受信したテレビジョン信号の放送速度（リアルタイム放送の放送速度）より遅く再生する。
【００４６】
これにより、タイムシフトを利用してテレビジョン番組を再生する場合に、リアルタイム放送に再生が追いついてしまうことを防ぎ、視聴者にとって不要なシーンを確実にスキップし、必要な視聴シーンのみを再生することができる。したがって、テレビジョン番組をリアルタイムで視聴する場合であっても、視聴者は、予め不要と分かっているシーンを視聴せず、視聴したいシーンのみを連続して視聴することができる。
【００４７】
なお、本実施形態ではテレビジョン番組の再生中に、再生速度が再生速度算出処理により算出したものにいきなり変更されるため、再生速度の変化量によってはユーザ（視聴者）に違和感を抱かせる可能性がある。これに対しては、一定値以上の速度変化量がある場合に、再生速度の変化量を緩やかに変化させ違和感を抱かせないように対策を講じるようにしても良い。ただし、このような対策を講じる場合には、遅い速度から速い速度への変更によってリアルタイム放送に追いついてしまう可能性があるが、その場合には、リアルタイム放送に追いつかないように速度変化の調整を行うようにすれば良い。
【００４８】
（第２の実施形態）
次に、本発明の第２の実施形態について説明する。
【００４９】
第２の実施形態に係る記録再生装置を適用したテレビジョン信号視聴システムの構成やシーン情報の構成等は、第１の実施形態と同様であるので、重複する説明は省略する。第２の実施形態と第１の実施形態とは、再生速度制御部１０４による再生速度算出処理のみが異なる。
【００５０】
以下、第２の実施形態における再生速度制御部１０４による再生速度算出処理について説明する。本実施形態における再生速度算出処理では、視聴するテレビジョン番組において再生速度を一定に保つようにする。すなわち、第１の実施形態で説明した再生速度算出処理を予め処理対象のテレビジョン番組におけるすべての必要な視聴シーンにおいて行い、その中でもっとも遅い速度ですべての必要な視聴シーンを再生するという処理となる。
【００５１】
図５は、第２の実施形態における再生速度制御部１０４による再生速度算出処理の流れを示すフローチャートである。本実施形態における再生速度算出処理は、再生速度制御部１０４が、再生部１０９からテレビジョン信号のチャネルとともに算出処理開始の制御信号を受信する（Ｓ５０１）ことにより開始される。
【００５２】
まず、再生速度制御部１０４は、既に当該テレビジョン番組の再生速度が算出されているか否かを確認する（Ｓ５０２）。ここで、本実施形態における再生速度算出処理は、速度調整再生処理が開始されたときに一回だけ行われれば良く、その後は一回目に算出した速度を保って再生すれば良いため、ステップＳ５０２での確認が必要となる。
【００５３】
ステップＳ５０２における確認で、再生速度算出処理が一度も行われていない場合には、再生速度制御部１０４は、指定されたチャネルで現在放送中のテレビジョン番組のシーン情報を番組情報管理部１０５から取得する（Ｓ５０３）。続いて、再生速度制御部１０４は、基準時刻を現在の時刻に設定する（Ｓ５０４）。
【００５４】
次に、再生速度制御部１０４は、取得したシーン情報に基づいて、基準時刻から視聴フラグが不要であることを示す次の視聴シーンの開始時刻までの時間を算出する（Ｓ５０５）。続いて、再生速度制御部１０４は、前記（式１）を基に再生速度を算出し（Ｓ５０６）、基準時刻をステップＳ５０５において算出に利用した不要な視聴シーンの終了時刻（開始時刻＋放送時間）に再設定する（Ｓ５０７）。
【００５５】
再生速度制御部１０４は、この時点で基準時刻が視聴するテレビジョン番組の完了時間（最後の視聴シーンの開始時刻＋放送時間）に達しているか否かを判断する（Ｓ５０８）。その結果、基準時刻が視聴するテレビジョン番組の完了時間に達していなかった場合には、再生速度制御部１０４は、基準時刻以降の視聴シーンに対してステップＳ５０５〜Ｓ５０７の処理を繰り返す。
【００５６】
一方、ステップＳ５０８での判断の結果、基準時刻が視聴するテレビジョン番組の完了時間に達していた場合には、再生速度制御部１０４は、ステップＳ５０６で算出したすべての再生速度の内、もっとも遅いものを選択する（Ｓ５０９）。そして、再生速度制御部１０４は、ステップＳ５０９において選択した再生速度を再生部１０９へ通知し、再生速度算出処理を終了する（Ｓ５１０）。
【００５７】
以上、第２の実施形態によれば、第１の実施形態と同様に、不要なシーンについては記録動作を停止して必要な視聴シーン（視聴したいシーン）の映像データ（録画データ）のみを蓄積し、その再生においては、リアルタイム放送の放送速度より遅く再生する。これにより、タイムシフトを利用してテレビジョン番組を再生する場合に、リアルタイム放送に再生が追いついてしまうことを防ぎ、視聴者にとって不要なシーンを確実にスキップし、必要な視聴シーンのみを再生することができる。したがって、テレビジョン番組をリアルタイムで視聴する場合であっても、視聴者は、予め不要と分かっているシーンを視聴せず、視聴したいシーンのみを連続して視聴することができる。
【００５８】
なお、第２の実施形態における再生速度算出処理では、ステップＳ５０９において最も遅い再生速度を選択する場合を一例として説明した。このとき、もっとも遅い再生速度がテレビジョン番組の終盤の視聴シーンで必要になる場合等では、それまでの視聴シーンを当該再生速度で再生したことで録画データ蓄積部１０８内に録画データがある程度溜まっていることが考えられる。そのため、このような場合には、リアルタイム放送に追いつかない範囲で適切に計算し、最も遅い再生速度よりも少し速い速度を算出するようにしても良い。
【００５９】
上述した第１及び第２の実施形態では、再生速度算出処理において必ず不要なシーンをスキップ可能な速度を算出することで、リアルタイム放送に追いついてしまうようなことが無いように制御する例を説明した。しかし、再生速度算出処理において算出した再生速度が視聴には適さない程著しく遅くなってしまうことがある。このような場合には、再生速度算出処理において算出する再生速度に下限値を設定するようにすれば良い。そして、設定された再生速度の下限値より速く、かつリアルタイム放送の放送速度より遅い速度で再生することで、再生速度が視聴には適さない程著しく遅くなってしまうことを防止することができる。再生速度の下限値は、例えばＨＩＦ制御部１０７を通してユーザが入力し、それを再生速度制御部１０４や再生部１０９に設定するようにしても良く、この場合、ＨＩＦ制御部１０７及び再生速度制御部１０４や再生部１０９は、本発明における設定手段を構成する。
【００６０】
ただし、再生速度の下限値を設定した場合には、録画データ蓄積部１０８内の録画データをすべて再生してしまい、リアルタイム放送に追いついてしまうことが考えられる。このような場合には、例えば所定の映像を表示する等の対策が必要となる。このように所定の映像を表示することで、次の必要な視聴シーンが表示されるまでユーザをあきさせないという効果を得ることができる。さらには、表示する所定の映像として、録画データ蓄積部１０８に記録する録画データによる映像を用いることで、視聴しているテレビジョン番組からユーザの興味が離れないようにすることができる。また、対策の１つとして再生部１０９の入力系統をテレビジョン信号入力部１０１の映像信号へ変更しリアルタイム放送を表示するようにしても良い。このとき、一時的に不要な映像及びシーンが表示されてしまうことになるが、不要なシーンの一部は確実にスキップすることができる。
【００６１】
また、上述した第１及び第２の実施形態においては、録画部１０２によって録画され録画データ蓄積部１０８に蓄積された録画データの削除については言及しなかったが、本実施形態における速度調整再生動作では再生が完了すれば当該録画データは必要なくなる。したがって、再生が完了した時点で随時削除していくという構成であっても良い。さらに、そのような構成とする場合には、録画データ蓄積部１０８の容量については、予約録画等の機能を有するテレビジョン信号の記録再生装置等よりも格段に少ない容量により実現することが可能である。
【００６２】
例えば、上述した第２の実施形態では、予め視聴するテレビジョン番組の再生速度を所定の値に固定するため、当該再生速度から最大録画データ蓄積量を算出することは容易である。そして、算出された最大録画データ蓄積量に対応した容量のみを録画データ蓄積部１０８に予め確保し、確保したデータ領域をリングバッファ等により録画データを蓄積するデータ領域として実装する。この場合には、視聴を開始する時点で、本実施形態の速度調整再生における最大録画データ蓄積量のみを確保できるため、さらに顕著な効果が期待できる。
【００６３】
また、上述した第１及び第２の実施形態においては、シーン情報に基づいて録画部１０２を制御することで不要なシーンは録画しないという方法によって不要なシーンをスキップする例を説明した。しかし、本発明はこれに限定されず、すべてのシーンを録画するように録画部１０２を制御し、再生部１０９で不要なシーンをスキップして再生するようにしても、同様の効果が得られることは言うまでもない。
【００６４】
また、上述した第１及び第２の実施形態においては、テレビジョン番組のシーン情報の取得方法としてインターネット等の通信ネットワークを利用した取得方法を一例として示しているが、該取得方法にはさまざま形態が考えられる。例えば、テレビジョン信号とともに送信されてくる付属データ中にシーン情報が付随情報として重畳されている場合等も本発明の適用範囲であり、テレビジョン信号とは異なる入力系統を持たない装置であってもシーン情報を自動的に取得することができる。さらに、シーン情報としては不確実ではあるが、定期的（例えば毎日や毎週等）に放送されるテレビジョン番組においては、当該テレビ番組の過去のシーン履歴から、自動若しくは手動でシーン情報を生成し利用することも適用範囲内である。このように過去のテレビジョン番組の放送履歴からシーン情報を生成することにより、シーン情報を外部から取得する手段を持たない装置であっても、生成したシーン情報を基に同様の効果を得ることができる。
【００６５】
（本発明の他の実施形態）
上述した実施形態の機能を実現するべく各種のデバイスを動作させるように、該各種デバイスと接続された装置又はシステム内のコンピュータ（ＣＰＵ又はＭＰＵ）に対し、前記実施形態の機能を実現するためのソフトウェアのプログラムを供給する。そして、そのシステム又は装置のコンピュータに格納されたプログラムに従って前記各種デバイスを動作させることによって実施したものも、本発明の範疇に含まれる。
また、この場合、前記ソフトウェアのプログラム自体が上述した実施形態の機能を実現することになり、そのプログラム自体は本発明を構成する。また、そのプログラムをコンピュータに供給するための手段、例えばかかるプログラムを格納した記録媒体は本発明を構成する。かかるプログラムを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、供給されたプログラムがコンピュータにて稼働しているオペレーティングシステム又は他のアプリケーションソフト等と共同して上述の実施形態の機能が実現される場合にもかかるプログラムは本発明の実施形態に含まれることは言うまでもない。
さらに、供給されたプログラムがコンピュータに係る機能拡張ボードや機能拡張ユニットに備わるメモリに格納された後、そのプログラムの指示に基づいてその機能拡張ボード等に備わるＣＰＵ等が実際の処理の一部又は全部を行う。その処理によって上述した実施形態の機能が実現される場合にも本発明に含まれることは言うまでもない。
【００６６】
例えば、第１及び第２の実施形態に示した記録再生装置は、図６に示すようなコンピュータ機能７００を有し、そのＣＰＵ７０１により第１及び第２の実施形態での動作が実施される。
コンピュータ機能７００は、図６に示すように、ＣＰＵ７０１と、ＲＯＭ７０２と、ＲＡＭ７０３とを備える。また、操作部（ＣＯＮＳ）７０９のコントローラ（ＣＯＮＳＣ）７０５と、ＣＲＴやＬＣＤ等の表示部としてのディスプレイ（ＤＩＳＰ）７１０のディスプレイコントローラ（ＤＩＳＰＣ）７０６とを備える。さらに、ハードディスク（ＨＤ）７１１、及びフレキシブルディスク等の記憶デバイス（ＳＴＤ）７１２のコントローラ（ＤＣＯＮＴ）７０７と、ネットワークインタフェースカード（ＮＩＣ）７０８とを備える。それら機能部７０１、７０２、７０３、７０５、７０６、７０７、７０８は、システムバス７０４を介して互いに通信可能に接続された構成としている。
ＣＰＵ７０１は、ＲＯＭ７０２又はＨＤ７１１に記憶されたソフトウェア、又はＳＴＤ７１２より供給されるソフトウェアを実行することで、システムバス７０４に接続された各構成部を総括的に制御する。すなわち、ＣＰＵ７０１は、上述したような動作を行うための処理プログラムを、ＲＯＭ７０２、ＨＤ７１１、又はＳＴＤ７１２から読み出して実行することで、第１及び第２の実施形態での動作を実現するための制御を行う。ＲＡＭ７０３は、ＣＰＵ７０１の主メモリ又はワークエリア等として機能する。
ＣＯＮＳＣ７０５は、ＣＯＮＳ７０９からの指示入力を制御する。ＤＩＳＰＣ７０６は、ＤＩＳＰ７１０の表示を制御する。ＤＣＯＮＴ７０７は、ブートプログラム、種々のアプリケーション、ユーザファイル、ネットワーク管理プログラム、及び第１及び第２の実施形態における前記処理プログラム等を記憶するＨＤ７１１及びＳＴＤ７１２とのアクセスを制御する。ＮＩＣ７０８はネットワーク７１３上の他の装置と双方向にデータをやりとりする。
【００６７】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００６８】
【図１】第１の実施形態におけるテレビジョン信号視聴システムの構成例を示す図である。
【図２】第１の実施形態における速度調整再生動作を示すフローチャートである。
【図３】第１の実施形態における再生速度算出処理を示すフローチャートである。
【図４】本実施形態におけるテレビジョン番組のシーン情報の一例を示す図である。
【図５】第２の実施形態における再生速度算出処理を示すフローチャートである。
【図６】本実施例における記録再生装置を実現可能なコンピュータ機能を示すブロック図である。
【符号の説明】
【００６９】
１００  テレビジョン信号視聴システム
１０１  テレビジョン信号入力部
１０２  録画部
１０３  録画情報管理部
１０４  再生速度制御部
１０５  番組情報管理部
１０６  ネットワークＩＦ制御部
１０７  ＨＩＦ制御部
１０８  録画データ蓄積部
１０９  再生部
１１０  表示部
【図１】
2009004909.tif 000003
【図２】
2009004909.tif 000004
【図３】
2009004909.tif 000005
【図４】
2009004909.tif 000006
【図５】
2009004909.tif 000007
【図６】
2009004909.tif 000008